(57)【要約】【課題】原子力発電のメルトダウンに伴い電力事情が悪化しているのでこの発明をしたら、環境にも多大な貢献をする事が同時である。【解決手段】本考案は一つの吐排水あるいはサイホン式にて流下した水源を古典的物理学を発展して多層発電と多段発電するものである。【選択図】図１
2013076323.tif 000002
【特許請求の範囲】
【発明の詳細な説明】
【技術分野】発電ダムについては既存のたたき水、あるいは散水又は霧状でダムの振動と浸食を防止している吐排水出口に容量型の発電設備を設けて尚その吐排水を集約してＫＷ＝９．８Ｑｈηの方則通りにＫＷ＝９．８ｈの高さを生かして単一水頭圧管路の末端部に衝動型水車を設置して、その吐排水を容量型発電水車にする多層発電方式であり、更に多層水車発電設備を多段階に設ける事を目的とする。
水源は人工湖、自然湖を問わず、サイホン式と組合せて運用する。
【背景技術】水源の再利用を繰り返す事に依り現在の既設のダムの数倍の電力をダムを建設する事もなく得る事が可能となり、自然湖等においては堰堤に穴を明ける事なく景観を損ねる事も無く、ダム本体の強度を損ねずに実施する上に、対費用効果が大きいのである。
パイプラインは数段重ねる事に依り山奥から里山迄建設すれば送電線も少なくてすみ、落差も大きくなるので理想的と言える。
【考案の効果】
上述の様に一水源を直列に再利用の繰返し使用なので現在原子力発電が事故停止して、全廃になっても日本の電力は十二分に供給する事が可能と思われる。
現在水力の未利用分は４０％位であり、黒部第四ダムは１０億ＫＷで全黒部を加算しても３１億ＫＷであるが、本考案はその数倍の出力が低費用で短期間に建設できる。
この応用は世界のエネルギーに対する思考を根本から変化させると思われる。化石エネルギーは化学品専用と化し、電気はエネルギーの元となり現在の幾多の環境問題も解決するものと思われる。
実際の工事は、パイプラインとタービン設置と建屋等だけなので非常に安価である。
【符号の説明】〔図１〕
１    ダム本体上端。
２    サイホン流入口ストレーナー。
３    サイホン水取入口。
４    サイホン用水ポンプ。
５    サイホン水頭圧管路。
６    ダム本体吐出口。
７    吐出水  集中受取器。
８    吐出水、水頭圧管路。
９    調整用、保守用バイパス弁郡。
１０  本考案の主発電機。
１１  本考案の二次副発電機。
１２  河川放流管。
１３  次段への同様施設への導入管路。
１４  バルブのシンボル。
〔図２〕
図２は標高と距離の仮想グラフである。
１    元々の既設ダム。
２から９は本考案の理論上の発電設備。
１０  平野部あるいは河口で平坦な部分。
〔図３〕
１    導入水頭圧管路
２    主衝動型  発電設備
３    副容量型  発電設備
４    吐排水受口
５    次下流導入水頭圧管路
左図は２段右図は３段
１から３迄が多層発電設備
【図１】
2013076323.tif 000003
【図２】
2013076323.tif 000004
【図３】
2013076323.tif 000005
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
人工湖、自然湖、河川では簡単な堰で集水したものや氾溢型堰等を含み、ダム等においては発電に足りる水量のある排水を再利用する設備。
【請求項２】
衝撃型水車に空隙を作用して容量型水車を連結した発電設備、多層発電と仮称する。
【請求項３】
多層発電を連結した発電方法で多段発電と仮称する。
【請求項４】
サイホン式発電方式で独立的利用と請求項１、２、３の組み合せ等の補助的な使用を含む発電方式
【手続補正２】
【補正対象書類名】明細書
【補正対象項目名】全文
【補正方法】変更
【補正の内容】
【発明の詳細な説明】
【技術分野】
【０００１】発電ダムについては既存のたたき水、あるいは散水又は霧状でダムの振動と浸食を防止している吐排水出口に容量型の発電設備を設けて尚その吐排水を集約してＫＷ＝９．８Ｑｈηの法則通りにＫＷ＝９．８ｈの高さを生かして単一水頭圧管路の末端部に衝動型水車を設置して、その吐排水を容量型発電水車にする多層発電方式であり、更に多層水車発電設備を多段階に設ける事を目的とする。水源は人工湖、自然湖を問わず、サイホン式と組合せて運用する。
【背景技術】
【０００２】水源の再利用を繰り返す事に依り現在の既設のダムの数倍の電力をダムを建設する事もなく得る事が可能となり、自然湖等においては堰堤に穴を明ける事なく景観を損ねる事も無く、ダム本体の強度を損ねずに実施する上に、対費用効果が大きいのである。パイプラインは数段重ねる事に依り山奥から里山迄建設すれば送電線も少なくてすみ、落差も大きくなるので理想的と言える。
【発明の効果】
【０００３】  上述の様に一水源を直列に再利用の繰返し使用なので現在原子力発電が事故停止して、全廃になっても日本の電力は十二分に供給する事が可能と思われる。現在水力の未利用分は４０％位であり、黒部第四ダムは１０億ＫＷで全黒部を加算しても３１億ＫＷであるが、本発明はその数倍の出力が低費用で短期間に建設できる。この応用は世界のエネルギーに対する思考を根本から変化させると思われる。化石エネルギーは化学品専用と化し、電気はエネルギーの元となり現在の幾多の環境問題も解決するものと思われる。実際の工事は、パイプラインとタービン設置と建屋等だけなので非常に安価である。
【図面の簡単な説明】
【０００４】
【図１】見取図  通常の配管設備士が見て判る通りの通常のバイパス弁郡であり工事を継続しながら次段次段と運転しながらのバイパス弁郡でメンテナス時にも同様の操作で上下段の運転を止める事なく作業をする為のバイパス弁郡である。
【図２】落差の仮想グラフ図  山奥の在来のダムは鉄塔が多数必要で送電ロスも大きく又メンテナンスも費用が高いが本発明はパイプラインを引いた所に付随して行けば最短距離の配線で済み落差の仮想グラフ１は水源として表わしダム等の最初の受水であり２から９は多層多段の発電設備を表わしている、９は里山あるいは最終地で変電設備を近所に設ける事で鉄塔と送電ロスを防ぎ１０の地点で河口や海中に放水する事が出来る。
【図３】システム図  左図は衝撃型主水車２の下流に容量型水車３を空隙を設けて発電する事を表わし２と３がスキマであり一本の配水管に多数の容量型水車を直列に配置する事を多層発電と呼ぶ事にする。右図は左図の２と３を多段重ねた物で記号は同じ物を表わしている。層を積み重ねた事に依り右図の場合は１２３４、１２３４、１２３４で３段と呼び左図の３倍の出力を得る。
【符号の説明】
【０００５】〔図１〕１    ダム本体上端。２    サイホン流入口ストレーナー。３    サイホン水取入口。４    サイホン用水ポンプ。５    サイホン水頭圧管路。６    ダム本体吐出口。７    吐出水  集中受取器。８    吐出水、水頭圧管路。９    調整用、保守用バイパス弁郡。１０  本考案の主発電機。１１  本考案の二次副発電機。１２  河川放流管。１３  次段への同様施設への導入管路。１４  バルブのシンボル。〔図２〕図２は標高と距離の仮想グラフである。１    元々の既設ダム。２から９は本考案の理論上の発電設備。１０  平野部あるいは河口で平坦な部分。〔図３〕１    導入水頭圧管路２    主衝動型  発電設備３    副容量型  発電設備４    吐排水受口５    次下流導入水頭圧管路      左図は２段右図は３段      １から３迄が多層発電設備